(57)【要約】      （修正有）【課題】高齢者や子供等の被測定者が簡単に座位体前屈測定を行うことができる。【解決手段】被測定者Ｍが所定位置に腰を下ろして両脚を前方に伸ばした状態で腕および手を水平に伸ばして体前屈し、指先を前方に移動させる際の指先の移動量を測定する座位体前屈測定器において、被測定者が腰を下ろせる座３および、その座に腰を下ろした被測定者が両脚を前方に伸ばした状態で置ける脚置き５と、座の前方に水平に延在するように固設される測定ボード７と、測定ボードにその測定ボードに沿って座に対し接近および離間する方向に移動可能にそれぞれ支持されてその測定ボードからそれぞれ上方に突出する測定用スライド部材８および原位置用スライド部材９と、原位置用スライド部材の横に並ぶ位置からの測定用スライド部材の移動距離を測定するために前記測定ボード上に設けられた目盛り１０とを具える。【選択図】図５
0003127368.tif 000002
【実用新案登録請求の範囲】
【請求項１】
被測定者が所定位置に腰を下ろして両脚を前方に伸ばした状態で腕および手を水平に伸ばして体前屈し、指先を前方に移動させる際の指先の移動量を測定する座位体前屈測定器において、
前記被測定者が腰を下ろせる座および、その座に腰を下ろした被測定者が両脚を前方に伸ばした状態で置ける脚置きと、
前記座の前方に水平に延在するように固設される測定ボードと、
前記測定ボードにその測定ボードに沿って前記座に対し接近および離間する方向に移動可能にそれぞれ支持されてその測定ボードからそれぞれ上方に突出する測定用スライド部材および原位置用スライド部材と、
前記原位置用スライド部材の横に並ぶ位置からの前記測定用スライド部材の移動距離を測定するために前記測定ボード上に設けられた目盛りと、
を具えることを特徴とする座位体前屈測定器。
【請求項２】
前記測定ボードは、前記座に対し接近および離間する方向に延在する長孔を有し、
前記スライド部材は、その長孔に沿って摺動可能にその長孔に嵌着されていることを特徴とする、請求項１記載の座位体前屈測定器。
【請求項３】
前記座は、下方に貫通する貫通穴を有することを特徴とする、請求項１または２記載の座位体前屈測定器。
【考案の詳細な説明】
【技術分野】
【０００１】
本考案は、被測定者が所定位置に腰を下ろして両脚を前方に伸ばした状態で腕および手を水平に伸ばして体前屈し、指先を前方に移動させる際の指先の移動量を測定する座位体前屈測定器に関するものである。
【背景技術】
【０００２】
近年では高齢化が進み、高齢者の体の柔軟性やバランスを改善するトレーニングが必要とされている。このようなトレーニングの成果を測定する器具の一つとしては従来、例えば被測定者が所定位置に腰を下ろして両脚を前方に伸ばした状態で腕および手を水平に伸ばして体前屈し、指先を前方に移動させる際の指先の移動量を測定する座位体前屈測定装置が知られている（特許文献１参照）。
【特許文献１】実開平０３−０８０７０９号公報
【考案の開示】
【考案が解決しようとする課題】
【０００３】
しかしながら従来の装置では、被測定者が指先でコマを押してその移動距離を測定するものであったため、体前屈前の状態で指先が触れるコマの位置である原位置が被測定者の身長や体型によって異なることから、被測定者がその原位置を記憶しておかなければならず、高齢者や子供等の被測定者が簡単に座位体前屈測定を行うことができないという問題があった。
【０００４】
それゆえ本考案は、高齢者や子供等の被測定者が簡単に座位体前屈測定を行うことができる測定器を提供することを目的としている。
【課題を解決するための手段】
【０００５】
本考案は上記課題を有利に解決するためになされたもので、本考案の座位体前屈測定器は、被測定者が所定位置に腰を下ろして両脚を前方に伸ばした状態で腕および手を水平に伸ばして体前屈し、指先を前方に移動させる際の指先の移動量を測定する座位体前屈測定器において、前記被測定者が腰を下ろせる座および、その座に腰を下ろした被測定者が両脚を前方に伸ばした状態で置ける脚置きと、前記座の前方に水平に延在するように固設される測定ボードと、前記測定ボードにその測定ボードに沿って前記座に対し接近および離間する方向に移動可能にそれぞれ支持されてその測定ボードからそれぞれ上方に突出する測定用スライド部材および原位置用スライド部材と、前記原位置用スライド部材の横に並ぶ位置からの前記測定用スライド部材の移動距離を測定するために前記測定ボード上に設けられた目盛りと、を具えることを特徴とするものである。
【考案の効果】
【０００６】
かかる本考案の座位体前屈測定器にあっては、被測定者が、座に腰を下ろした状態で両脚を前方に伸ばして脚置き上に置き、上体を真っ直ぐに起こした状態で腕および手を水平に伸ばして、測定ボードにその測定ボードに沿って座に対し接近および離間する方向に移動可能にそれぞれ支持された測定用スライド部材および原位置用スライド部材の位置をそれらのスライド部材に指先が触る位置である原位置に移動させ、あるいは測定用スライド部材の位置をそのスライド部材に指先が触る位置である原位置に移動させた後に原位置用スライド部材の位置をその測定用スライド部材の真横に並ぶ原位置に移動させ、その後、被測定者がその腰を下ろして両脚を前方に伸ばした状態で腕および手を水平に伸ばして体前屈し、原位置にある測定用スライド部材だけを指先で押して前方に移動させてから体を起こすと、測定用スライド部材がその移動先に留まって、測定ボード上の原位置にある原位置用スライド部材と移動先の測定用スライド部材との間の目盛りが、その測定用スライド部材ひいては指先の移動量を示す。
【０００７】
従って、本考案の座位体前屈測定器によれば、被測定者がスライド部材の原位置を記憶しておかなくても指先の移動量が判るので、高齢者や子供等の被測定者が簡単に座位体前屈測定を行うことができる。
【０００８】
なお、本考案の座位体前屈測定器においては、前記測定ボードは、前記座に対し接近および離間する方向に延在する長孔を有し、前記スライド部材は、その長孔に沿って摺動可能にその長孔に嵌着されていても良く、このようにすれば、簡易な構成で各スライド部材を測定ボードに移動可能に支持することができる。
【０００９】
さらに、本考案の座位体前屈測定器においては、前記座は、下方に貫通する貫通穴を有していても良く、このようにすれば、この測定器を屋外に設置した場合でも、座に雨水や砂等が溜まってそれらで被測定者の着衣が汚れるのを防止することができる。
【考案を実施するための最良の形態】
【００１０】
以下、本考案の実施の形態を実施例によって、図面に基づき詳細に説明する。ここに、図１は、本考案の座位体前屈測定器の一実施例を示す平面図、図２は、その実施例の座位体前屈測定器を示す側面図、図３は、上記実施例の座位体前屈測定器を示す正面図、図４（ａ），（ｂ）および（ｃ）は、上記実施例の座位体前屈測定器のスライド部材を拡大して示す正面図，側面図および留め板を省略した下面図、そして図５は、上記実施例の座位体前屈測定器の使用方法を示す斜視図である。
【００１１】
この実施例の座位体前屈測定器は、図５に示す如く測定の際に被測定者Ｍが所定位置に腰を下ろして両脚を前方に伸ばせるように、ここでは地中に埋設されたコンクリート製基礎１を介して地面Ｇに固定されて立設される一本の支柱２の上端部に固定された、被測定者Ｍが腰を下ろせる座としてのシート３を具えるとともに、同じくここでは地中に埋設されたコンクリート製基礎１を介して地面Ｇに固定されて立設される二本の支柱４の中間部に固定された、シート３に腰を下ろした被測定者Ｍが両脚を前方に伸ばした状態で置ける脚置き５を具えており、ここにおけるシート３は、プラスチック成形部材で高い剛性を持つ裏面リブ付き形状に形成され、被測定者Ｍが安定して腰を下ろせるように着座面が窪んでいる。またそのシート３の窪んだ着座面には、雨水や砂等を排出するための、下方に貫通する貫通穴３ａが設けられている。
【００１２】
またここにおける脚置き５は、Ｌ字状の二本のパイプ５ａを互いに間隔を空けて向き合わせて二本の支柱４にシート３から離れるにつれて下がるように水平より僅かに傾けて固定し、それらのパイプ５ａの間に三本の小径パイプ５ｂを渡らせて、それらの小径パイプ５ｂの両端部を二本のパイプ５ａに固定してなる梯子状のものであり、これにより雨水や砂等が上に残らないようにされている。
【００１３】
二本の支柱４の上端部は互いに反対方向に開き、それらの上端部には二本のパイプ６ａの両端部を二本の小径パイプ６ｂでそれぞれ繋いでなる枠状のフレーム６が、シート３から離れるにつれて下がるように水平より僅かに傾けて固定されており、この実施例の座位体前屈測定器はそのフレーム６上に、シート３の前方に略水平に、すなわち実際上はフレーム６に沿って、雨水や砂等が上に残らないようシート３から離れるにつれて下がるように水平より僅かに傾いて延在して固定された測定ボード７を具えている。
【００１４】
さらにこの実施例の座位体前屈測定器は、その測定ボード７にその測定ボード７に沿ってシート３に対し接近および離間する方向（図１および図２では左右方向）に移動可能にそれぞれ支持されてその測定ボード３からそれぞれ上方に突出する、測定用スライド部材としての測定用スライドコマ８および、原位置用スライド部材としての原位置用スライドコマ９と、その原位置用スライドコマ９の真横に並ぶ位置からの測定用スライドコマ８の移動距離を測定するために測定ボード７上にシート３から見て左右方向に延在するように刻設された多数の目盛り１０とを具えている。
【００１５】
ここで、測定ボード７は、各々シート３に対し接近および離間する方向（図１および図２では左右方向）に延在する、測定用スライドコマ８用の長い長孔７ａと、原位置用スライドコマ９用の短い長孔７ｂを有している。そして測定用スライドコマ８および原位置用スライドコマ９はそれぞれ、測定ボード７のそれらの長孔７ａ，７ｂに沿って摺動可能にそれらの長孔７ａ，７ｂに嵌合するが長孔７ａ，７ｂ内での回転は規制された横長の嵌合部８ａ，９ａを後部に持ち、それら嵌合部８ａ，９ａには、測定ボード７の裏側から留め板１１がネジ１２で固定され、これにより測定用スライドコマ８および原位置用スライドコマ９はそれぞれ、測定ボード７に対して外れ止めされている。
【００１６】
かかる実施例の座位体前屈測定器にあっては、図５に示すように、被測定者Ｍが、シート３に腰を下ろした状態で両脚を前方に伸ばして脚置き５上に置き、上体を真っ直ぐに起こした状態で腕および手を水平に伸ばして、測定ボード７にその測定ボード７に沿ってシート３に対し接近および離間する方向に移動可能にそれぞれ支持された測定用スライドコマ８および原位置用スライドコマ９の位置をそれらのスライドコマ８，９に指先が触る位置である原位置に移動させ、あるいは測定用スライドコマ８の位置をそのスライドコマ８に指先が触る位置である原位置に移動させた後に原位置用スライドコマ９の位置をその測定用スライドコマ８の真横に並ぶ原位置に移動させ、その後、被測定者Ｍがその腰を下ろして両脚を前方に伸ばした状態で腕および手を水平に伸ばして体前屈し、原位置にある測定用スライドコマ８だけを指先で押して前方に移動させてから体を起こすと、測定用スライドコマ８がその移動先に留まって、測定ボード７上の原位置にある原位置用スライドコマ９と移動先の測定用スライドコマ８との間の目盛り（すなわち目盛りの示す数値の差）が、その測定用スライドコマ８ひいては指先の移動量を示す。
【００１７】
従って、この実施例の座位体前屈測定器によれば、被測定者Ｍが測定用スライドコマ８の原位置を記憶しておかなくても指先の移動量が判るので、高齢者や子供等の被測定者が簡単に座位体前屈測定を行うことができる。
【００１８】
また、この実施例の座位体前屈測定器によれば、測定ボード７は、シート３に対し接近および離間する方向に延在する長孔７ａ，７ｂを有し、測定用スライドコマ８および原位置用スライドコマ９は、それらの長孔７ａ，７ｂに沿って摺動可能にそれらの長孔７ａ，７ｂに嵌着されているので、簡易な構成で各スライドコマ８，９を測定ボード７に移動可能に支持することができる。
【００１９】
さらに、この実施例の座位体前屈測定器によれば、シート３は、下方に貫通する貫通穴３ａを有しているので、この測定器を屋外に設置した場合でも、シート３に雨水や砂等が溜まってそれらで被測定者Ｍの着衣が汚れるのを防止することができる。また、測定ボード７も僅かに傾けて設置され、脚置き５も僅かに傾けて設置されるとともに梯子状のものとされているので、雨水や砂等が上に残って被測定者Ｍの着衣が汚れるのを防止することができる。
【００２０】
以上、図示例に基づき説明したが、本考案は上述の例に限定されるものでなく、実用新案登録請求の範囲の記載範囲内で適宜変更することができるものであり、例えば、脚置き５や測定ボード７は、シート３に対し一体的に設けても良い。また、スライドコマ８，９は、測定ボード７の表面に取り付けられたレールに沿って摺動するものでも良い。
【産業上の利用可能性】
【００２１】
かくして本考案の座位体前屈測定器によれば、被測定者がスライド部材の原位置を記憶しておかなくても指先の移動量が判るので、高齢者や子供等の被測定者が簡単に座位体前屈測定を行うことができる。
【図面の簡単な説明】
【００２２】
【図１】本考案の座位体前屈測定器の一実施例を示す平面図である。
【図２】上記実施例の座位体前屈測定器を示す側面図である。
【図３】上記実施例の座位体前屈測定器を示す正面図である。
【図４】（ａ），（ｂ）および（ｃ）は、上記実施例の座位体前屈測定器のスライド部材を拡大して示す正面図，側面図および留め板を省略した下面図である。
【図５】上記実施例の座位体前屈測定器の使用方法を示す斜視図である。
【符号の説明】
【００２３】
１  基礎
２，４  支柱
３  シート
３ａ  貫通穴
５  脚置き
５ａ，６ａ  パイプ
５ｂ，６ｂ  小径パイプ
６  フレーム
７  測定ボード
７ａ、７ｂ  長孔
８  測定用スライドコマ
８ａ，９ａ  嵌合部
１０  目盛り
１１  留め板
１２  ネジ
Ｇ  地面
Ｍ  被測定者
【図１】
0003127368.tif 000003
【図２】
0003127368.tif 000004
【図３】
0003127368.tif 000005
【図４】
0003127368.tif 000006
【図５】
0003127368.tif 000007